(57)【要約】【課題】釣竿全体の長さを大きく変化させて調整でき、その長さを調整しつつ円滑な釣り操作を可能とする釣竿を提供するに当たり、そのメンテナンスなども容易にする。【解決手段】この釣竿は、穂先側端部内周面に嵌合雌部１ａを有する元竿１と、元竿１内に穂先側に向かって出入自在に連結され、竿元側端部外周面に形成される第１嵌合雄部２ａ，穂先側の外周面に形成される第２嵌合雄部２ｂ，第２嵌合雄部２ｂの穂先側に隣接する外周面に形成される雌ねじ部２ｃ，及び雌ねじ部２ｃに螺着するリング３１を有する元上竿２と、穂先側端部が元上竿２のリング３１に連結され、元竿１及び元上竿２をその内部に収納可能に竿元側に延びる補助スリーブ３０とを備える。【選択図】      図２
2004329051.tif 000002
【特許請求の範囲】
【請求項１】
筒状体である複数の竿体を順次連結してなる釣竿であって、
穂先側端部内周面に嵌合雌部を有する元竿と、
前記元竿内に穂先側に向かって出入自在に連結され、竿元側端部外周面に形成される第１嵌合雄部，穂先側の外周面に形成される第２嵌合雄部，前記第２嵌合雄部の穂先側に隣接する外周面に形成される雌ねじ部，及び前記雌ねじ部に螺着するリング部材を有する元上竿と、
穂先側端部が前記元上竿のリング部材に連結され、前記元竿及び元上竿をその内部に収納可能に竿元側に延びる補助スリーブと
を備える釣竿。
【請求項２】
前記第２嵌合雄部と前記雌ねじ部とは前記元上竿の周面において軸方向に連続して形成されている、請求項１に記載の釣竿。
【請求項３】
前記元上竿の第２嵌合雄部の周面にはねじ溝が形成され、この第２嵌合雄部の穂先側部分が前記雌ねじ部であり、前記リング部材は前記雌ねじ部に螺着している、請求項２に記載の釣竿。
【発明の詳細な説明】
【０００１】
【発明の属する技術分野】
本発明は、複数の竿体をいわゆる振出形式で連結した釣竿に関する。詳しくは、特定の竿体同士を収納状態，延伸状態の何れにおいても相互に連結固定可能とし、竿全体の長さを変化させて釣りを行えるように工夫した釣竿に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には竿全体の長さを変化させて釣りを行えるように工夫したものがある。このように工夫された釣竿は、例えば、穂先側端部内周面に嵌合雌部を有する元竿と、竿元側端部外周面に第１嵌合雄部を有しつつ長手方向中央付近の外周面に第２嵌合雄部を有する元上竿とを備える（例えば、特許文献１等参照）。
【０００４】
そして、この種の釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることが可能となっている。
こうして、元竿と元上竿とは「延伸状態」，「収納状態」のいずれの状態においても互いに嵌合固定可能であり、状況に応じて釣竿全体の長さを変化させて釣りを行えるようになっている。
【０００５】
【特許文献１】
特開２０００−２６２１８９号公報
【０００６】
【発明が解決しようとする課題】
上述のような釣竿全体の長さを変化させることが可能な釣竿において「延伸状態」，「収納状態」の各状態に相互変換する際には、釣人は、一般に、一方の手で元竿の竿元側若しくはリールシート付近を把持しながら、他方の手で元上竿の第２嵌合雄部の穂先側付近を把持して、元上竿を元竿から引き出し若しくは収納する。このため、元上竿の引き出し長さには限界がある。即ち、図６に示すように、元上竿１０２を元竿１０１から引き出した際の「引き出し長さ」（リールシート付近から延伸状態における元上竿１０２の第２嵌合雄部１０２ｂの穂先側までの距離：図６のＸ参照）を、釣人が手を広げた際の距離以上に長く設定し難い。
【０００７】
しかし、釣竿全体の長さを変化させ得るように工夫した釣竿は、収納状態と延伸状態との釣竿全体の長さの変化、即ち、元上竿を元竿から引き出した際の「引き出し長さ」を大きく設定し、状況に応じた釣りを容易に為し得ることを目的とするものである。そこで、より収納状態と延伸状態との釣竿全体の長さの変化を大きくし得るような工夫が求められる。
【０００８】
そこで、元上竿に補助スリーブを設けて、「引き出し長さ」をより長く設定することが考えられる。即ち、元上竿の第２嵌合雄部付近にさらに筒状のスリーブを手元側に延びるように装着し、釣人はこのスリーブを把持して、釣竿の長さを調整し得るようにするのである。
しかし、このようなスリーブの元上竿への装着は、常に（延伸状態でも収納状態でも）元上竿の一部（第２嵌合雄部より手元側）をスリーブ内に収納することになる。水辺で利用されるが故に水が附着し易い釣竿の周面が常に他の部材で覆われていると、汚れや腐食などが生じ易い。
【０００９】
本発明は、釣竿全体の長さを大きく変化させて調整でき、その長さを調整しつつ円滑な釣り操作を可能とする釣竿を提供するに当たり、そのメンテナンスなども容易とすることを目的とするものである。
【００１０】
【課題を解決するための手段】
この釣竿は、筒状体である複数の竿体を順次連結してなる釣竿であって、穂先側端部内周面に嵌合雌部を有する元竿と、元竿内に穂先側に向かって出入自在に連結され、竿元側端部外周面に形成される第１嵌合雄部，穂先側の外周面に形成される第２嵌合雄部，第２嵌合雄部の穂先側に隣接する外周面に形成される雌ねじ部，及び雌ねじ部に螺着するリング部材を有する元上竿と、穂先側端部が元上竿のリング部材に連結され、元竿及び元上竿をその内部に収納可能に竿元側に延びる補助スリーブとを備える。
【００１１】
この釣竿は、元上竿が元竿の穂先側に完全に引き出された延伸状態と、元上竿が元竿の内部に完全に収納された収納状態とにおいて、この元上竿と元竿とは相互に連結固定可能であり、各状態における具体的態様は以下のようになる。
延伸状態においては、元竿の嵌合雌部と元上竿の第１嵌合雄部が相互に嵌着する。第１嵌合雄部が元上竿の元竿に対する抜け止めとなっているとともに、相互の竿体を連結固定する。一方、収納状態においては、元竿の嵌合雌部と元上竿の第２嵌合雄部が相互に嵌着する。そして、相互の竿体が連結固定される。
【００１２】
このような延伸状態及び収納状態の相互変換の際には、釣人は、一方の手でリールシート付近を把持しながら、他方の手で補助スリーブの竿元側外周面などを把持して当該操作を行う。補助スリーブが元上竿の第２嵌合雄部より竿元側に延びることで、釣人は両手の間隔を過度に広げることなく当該操作が可能となる。また、元上竿を元竿から引き出した際の「引き出し長さ」を、補助スリーブの軸方向長さ分だけ大きく設定することができる。
【００１３】
この補助スリーブは、その穂先側端部がリング部材に固定されている。そこで、メンテナンス時には、このリング部材を雌ねじ部から解放し、リング部材と共に補助スリーブを元上竿の穂先側に向かって取り外すことができる。補助スリーブを取り外すことで、元上竿の第２嵌合雄部より竿元側の周面の清掃などが容易になる。また、補助スリーブを取り外した後に、元上竿を元竿の手元側から引き抜いて、元竿から元上竿を取り外し、両者を清掃することも容易になる。
【００１４】
また、他の釣竿では、第２嵌合雄部と雌ねじ部とは元上竿の周面において軸方向に連続して形成されている。
第２嵌合雄部は元竿の嵌合雌部と嵌着するために他の部分より一段大径化しており、この第２嵌合雄部が、雌ねじ部にリング部材を螺着する際のリング部材の軸方向の位置決め手段となる。
【００１５】
さらに、別の釣竿では、元上竿の第２嵌合雄部の周面にはねじ溝が形成され、この第２嵌合雄部の穂先側部分が雌ねじ部であり、リング部材は雌ねじ部に螺着している。
第２嵌合雄部は元竿の嵌合雄部と嵌着するために他の部分より一段大径化しているが、このような大径化した部分の周面にねじ溝を連続的に削って雌ねじ部を形成することで、製造が容易になる。また、第２嵌合雄部の周面に形成されるねじ溝たる凹凸が、第２嵌合雄部への元竿の嵌合雌部の固着も抑える。
【００１６】
【発明の実施の形態】
［第１実施形態］
以下、本発明の第１実施形態について図面を参照しつつ説明する。
本発明の第１実施形態を採用した釣竿は、図１に示すように、周面にリール（図示せず）を脱着自在に装着可能なリールシート６を有する元竿１と、元竿１の穂先側に順次振出形式で連結される、元上竿２，第１中竿３，第２中竿４及び穂先竿５とを有している。もっとも、連結する竿体の本数は任意であって、このように５本に限定されるものではない。これら元竿１〜穂先竿５は炭素繊維またはガラス繊維等に合成樹脂を含浸させたプリプレグ素材から形成される先細り筒状部材である。これらはいわゆる振出形式で連結されており、元上竿２〜穂先竿５は穂先側から順次竿元側の竿体の内部に挿入され出し入れ自在である。また、元上竿２には補助スリーブ３０が装着されている。
【００１７】
これらの元上竿２〜穂先竿５を穂先側に引き出した際には、それぞれの竿体が、穂先側に位置する竿体の竿元側端部外周面と竿元側に位置する竿体の穂先側端部内周面とで相互に嵌着し、穂先側への抜け止め且つ相互の連結固定が可能となっている（例えば、元竿１と元上竿２との関係を示す図３参照）。特に、元上竿２と元竿１とにあっては、後述のように、延伸状態，収納状態の何れの状態にあっても、相互に連結固定可能となっている。
【００１８】
また、各竿体の周面には、最も穂先側に配置され軸方向に移動不能に固定されている固定ガイド９と、その竿元側の周面に軸方向に移動自在且つ所定の位置に置いて係止可能に配置された複数のスライドガイド１０が、必要に応じて配置されている。
次に、元竿１と元上竿２との関係について、図２及び図３を参照して説明する。
【００１９】
上述のように、元竿１は炭素繊維などの繊維強化樹脂からなる一定の先細りテーパが施された筒状体である。この元竿１の竿元側端部には脱着自在に尻栓７が装着されている。例えば、竿元側端部内にナット部材が竿元側から挿入されて接着固定され、このナット部材に尻栓７が螺着する。この元竿１は内部に元上竿２が収納可能な筒状体であり、穂先側端部の内周面は嵌合雌部１ａとなっている。この嵌合雌部１ａは、図２に於いては特に示していないが、他の部分に比べて必要に応じて小径且つ肉厚化してもよい。
【００２０】
なお、必要に応じて、元竿１の竿元側の尻栓７の穂先側の内部に固定リングをさらに配置してもよい。この固定リングは、後述する元上竿２の竿元側端部の第１嵌合雄部２ａが穂先側から固定リング内に挿入され内嵌可能なものである。
元上竿２も元竿１と同様に一定の先細りテーパの施された筒状体である。竿元側端部には元竿１と同様に栓部材である底栓が装着されている。この元上竿２は、竿元側端部外周面に形成された第１嵌合雄部２ａと、その穂先側の外周面に形成された第２嵌合雄部２ｂとを有している。第１嵌合雄部２ａ及び第２嵌合雄部２ｂは隣接する他の部分に比較して部分的に大径化した部分であり、その外径は上述の元竿１の穂先側端部の嵌合雌部１ａに合致するように調整される。即ち、第１嵌合雄部２ａ及び第２嵌合雄部２ｂはそれぞれ嵌合雌部１ａに嵌着自在である。
【００２１】
これらの各部分は、例えば、元上竿２の筒状部分と一体的に以下のようにして形成することができる。この元上竿２は上述のように炭素繊維等の強化繊維に合成樹脂を含浸させてなるプリプレグ素材を焼成して筒状に形成するものである。このような筒状体を製造する際に、必要な所定の箇所に補助用プリプレグ素材を筒状体形成用プリプレグ素材の外周面に巻回しておき、これらの各素材を全体として焼成する。そして、焼成後、その周面を研磨加工し径を調整する。なお、この際に用いる補助用プリプレグは竿体の軸方向に強化繊維が配向されたものを用いるのが好ましい。
【００２２】
また、この元上竿２の第２嵌合雄部２ｂの穂先側の周面には、ねじ溝が削り掘られて雄ねじ部２ｃが形成されており、ここにリング３１が螺着している。雄ねじ部２ｃの竿元側端部は段を形成しリング３１の当て止めを形成する。リング３１は、所定のプラスチック等から形成され、内周面にねじ溝が形成される。その外径は元竿１の穂先側端部の外径と同等若しくはそれ以上に設定される。リング３１は元上竿２の穂先側からその外周に配置され、雌ねじ部２ｃに取り付けられることになる。
【００２３】
このリング３１に補助スリーブ３０の穂先側端部が連結され接着などによって固定されている。補助スリーブ３０は、元竿１より大径の筒状部材である。元竿１などの各竿体と同様に所定のプリプレグ素材を焼成して形成しても、硬質合成樹脂より形成してもよい。補助スリーブ３０は、その穂先側端部を上述のようにリング３１の外周面に固定し、元竿１及び元上竿２の第２嵌合雄部２ｂより竿元側をその内部に収納可能に竿元側に延びている。なお、この補助スリーブ３０の軸方向長さは任意に設定可能であるが、少なくとも、元竿１の穂先側端部からリールシート６迄の長さより短く設定される。その外周面には、釣人が把持しやすいように滑り止め用の凹凸を設け、若しくは、ウレタンゴム等からなるグリップを配置してもよい。
【００２４】
このように構成されている釣竿は、釣りをおこなう際には、穂先竿５から順次穂先側に各竿体を引き延ばして一本の長い釣竿として用いられる。また、釣りを終えた際等にあっては、穂先竿５から順次各竿体を竿元側の竿体内に収納してコンパクトな状態となる。そして、さらに、元上竿２と元竿１とにおいては、元上竿２が元竿１の穂先側に引き出された延伸状態（図３参照）と、元上竿２が元竿１の内部に収納された収納状態（図２参照）とにおいて、この元上竿２と元竿１とは相互に連結固定可能であり、何れかの状態にすることで、釣竿全体の長さを調整して釣りをおこなうこともできる。
【００２５】
具体的には、延伸状態（図３参照）においては、元竿１の嵌合雌部１ａと元上竿２の第１嵌合雄部２ａが相互に嵌着する。第１嵌合雄部２ａが元上竿２の元竿に対する抜け止めとなっているとともに、元上竿２と元竿１とを連結固定する。一方、収納状態（図２参照）においては、元竿１の嵌合雌部１ａと元上竿２の第２嵌合雄部２ｂが相互に嵌着する。そして、相互の竿体が連結固定される。
【００２６】
このような延伸状態及び収納状態の相互変換の際には、釣人は、一方の手でリールシート６付近を把持しながら、他方の手で補助スリーブ３０の竿元側外周面などを把持して当該操作を行う。補助スリーブ３０が元上竿２の第２嵌合雄部２ｂより竿元側に延びることで、釣人は両手の間隔を過度に広げることなく当該操作が可能となる。また、元上竿２を元竿１から引き出した際の「引き出し長さ」を、補助スリーブ３０の軸方向長さ分だけ大きく設定することができる。
【００２７】
なお、この補助スリーブ３０は、その穂先側端部がリング３１に固定されている。そこで、メンテナンス時には、このリング３１を雌ねじ部２ｃから解放し、リング３１と共に補助スリーブ３０を元上竿２の穂先側に向かって取り外すことができる。補助スリーブ３０を取り外すことで、元上竿２の第２嵌合雄部２ｂより竿元側の周面の清掃などが容易になる。また、補助スリーブ３０を取り外した後に、元竿１の尻栓７を取り外し、元上竿２を元竿１の手元側から引き抜いて、元竿１から元上竿２を取り外し、両者を清掃することも容易になる。
【００２８】
［第２実施形態］
本発明の第２実施形態について、図４を参照しつつ説明する。
この元上竿１２も上記第１実施形態と同様に、竿元側端部の第１嵌合雄部と共に、穂先側の周面に第２嵌合雄部１２ｂが形成される。そして、第２嵌合雄部１２ｂの穂先側には第２嵌合雄部１２ｂに連続して雄ねじ部１２ｃが形成される。第２嵌合雄部１２ｂは、隣接する他の部分に比較して一段大径化している。そして、第２嵌合雄部１２ｂの穂先側端部に雄ねじ部１２ｃを連続して形成することで、雄ねじ部１２ｃの竿元側端部に一段大径化する第２嵌合雄部１２ｂが位置する。元上竿１２の穂先側からリング３１を雄ねじ部１２ｃに装着する場合、第２嵌合雄部１２ｂがリング３１の竿元側へのストッパーとなっている。
【００２９】
このような、釣竿も、第１実施形態と同様に用いることができる。
［第３実施形態］
さらに、第３実施形態について、図５を参照しつつ説明する。
この元上竿２２も上記第１実施形態と同様に、竿元側端部の第１嵌合雄部と共に、穂先側の周面に第２嵌合雄部２２ｂが形成される。
【００３０】
第２嵌合雄部２２ｂは、上記実施形態１と同様に、別途必要なプリプレグ素材を部分的に巻回して形成される他の部分より一段大径化した部分である。このような第２嵌合雄部２２ｂの周面には軸方向に連続してねじ溝が形成されている。ねじ溝は第２嵌合雄部２２ｂを形成した後に、周面を削って形成可能である。そして、このようにねじ溝が形成された第２嵌合雄部２２ｂに穂先側からリング３１が装着されている。
【００３１】
リング３１は第２嵌合雄部２２ｂの軸方向長さの凡そ半分程度の軸方向長さを有するものとする。そして、第２嵌合雄部２２ｂの竿元側の半分程度に、元竿１の穂先側端部の嵌合雌部１ａが装着されることになる。
このような、釣竿も、第１実施形態と同様に用いることができる。
［他の実施形態］
なお、リング３１とスリーブ３０とについては、上記各実施形態では、両者を接着等によって固定しているが、リング３１とスリーブ３０とにおいても両者を脱着自在に連結してもよい。
【００３２】
【発明の効果】
本発明に係る釣竿によれば、スリーブを利用して釣竿全体の長さを大きく変化させてその長さを調整でき、円滑な釣り操作が可能となる。
さらに、スリーブを取り外して釣竿を構成する各竿体のメンテナンスも容易である。
【図面の簡単な説明】
【図１】本発明の第１実施形態を採用した釣竿の全体図。
【図２】図１の元竿１と元上竿２との収納状態を示した図。
【図３】図１の元竿１と元上竿２との延伸状態を示した図。
【図４】本発明の第２実施形態を採用した釣竿における、元竿１と元上竿１２との収納状態を示した図。
【図５】本発明の第３実施形態を採用した釣竿における、元竿１と元上竿２２との収納状態を示した図。
【図６】従来の釣竿の一例を示した図。
【符号の説明】
１  元竿
１ａ  嵌合雌部
２，１２，２２  元上竿
２ａ  第１嵌合雄部
２ｂ，１２ｂ，２２ｂ  第２嵌合雄部
３０  補助スリーブ
３１  リング
【図１】
2004329051.tif 000003
【図２】
2004329051.tif 000004
【図３】
2004329051.tif 000005
【図４】
2004329051.tif 000006
【図５】
2004329051.tif 000007
【図６】
2004329051.tif 000008